(57)【要約】    【課題】  供給水量を容易に調整することができる園芸用装置を提供する。    【解決手段】  花壇部（４０）と、給水部（２０）とを備え、給水部が、上部容器（２２）と、上部容器の下側に位置する下部容器（２４）とを有し、上部容器の開口に接続された給水管（２６）が下部容器内に延びており、給水管に、ボールタップ弁（２８）が配置され、ボールタップ弁に、フロート（３４）が接続されており、ボールタップ弁が、フロートが所定高さ以上に位置するときは閉鎖し、フロートが所定高さ以上に位置しないときは開放するように構成されており、フロートの下面のほぼ中央部に設けられた雌ネジ付き凹部（３４ａ）に、ボールタップ弁に接続された雄ネジ付きシャフト（３６）がねじ込まれ、雄ネジ付きシャフトを回転させることよりフロートの高さを調整することができるように構成されており、下部容器と花壇部とが流体連通するように構成されている。【選択図】  図１
2005117903.tif 000002
【特許請求の範囲】
【請求項１】
園芸用装置であって
花や植物が植えられる花壇部と、
前記花壇部に水を供給するための給水部とを備え、
前記給水部が、上部容器と、前記上部容器の下側に位置する下部容器とを有し、前記上部容器の底面に設けられた開口に接続された給水管が前記下部容器内に延びており、前記給水管には、ボールタップ弁が配置されており、前記ボールタップ弁には、フロートが接続されており、前記ボールタップ弁が、前記フロートが所定高さ以上に位置するときは閉鎖し、前記フロートが所定高さ以上に位置しないときは開放するように構成されており、
前記フロートの下面のほぼ中央部に設けられた雌ネジ付き凹部に、前記ボールタップ弁に接続された雄ネジ付きシャフトがねじ込まれ、前記雄ネジ付きシャフトを回転させることより、前記フロートの高さを調整することができるように構成されており、
前記給水部の前記下部容器と前記花壇部とが流体連通するように構成されていることを特徴とする装置。
【請求項２】
放熱装置であって、
小石が敷き詰められた放熱部と、
前記放熱部に水を供給するための給水部とを備え、
前記給水部が、上部容器と、前記上部容器の下側に位置する下部容器とを有し、前記上部容器の底面に設けられた開口に接続された給水管が前記下部容器内に延びており、前記給水管には、ボールタップ弁が配置されており、前記ボールタップ弁には、フロートが接続されており、前記ボールタップ弁が、前記フロートが所定高さ以上に位置するときは閉鎖し、前記フロートが所定高さ以上に位置しないときは開放するように構成されており、
前記フロートの下面のほぼ中央部に設けられた雌ネジ付き凹部に、前記ボールタップ弁に接続された雄ネジ付きシャフトがねじ込まれ、前記雄ネジ付きシャフトを回転させることより、前記フロートの高さを調整することができるように構成されており、
前記給水部の前記下部容器と前記放熱部とが流体連通するように構成されていることを特徴とする装置。
【発明の詳細な説明】
【技術分野】
【０００１】
本発明は一般には、園芸用装置及び放熱装置に関する。より詳細には、本発明は、供給水量を容易に調整することができる給水器を備えた園芸用装置及び放熱装置に関する。
【背景技術】
【０００２】
ガーデニング・ブームと言われる昨今、園芸に関する種々の機器・装置・用具類が開発され、市場に出回っている。また、植栽は、庭はもちろんのこと、住宅やビルの屋上、道路脇等の多種多様な場所で行われている。このような植物の生育にとって、水分の補給は必要不可欠である。そのため、庭の植物に対して、定期的に水撒きがなされている。
【発明の開示】
【発明が解決しようとする課題】
【０００３】
しかしながら、定期的な水撒きの実施は、手間がかかるうえ、失念しがちである。特に、屋上等の水撒きの実施しにくい個所では、このような傾向が一層強くなる。また、近年、市街地でのヒートアイランド現象が社会問題となっている。
【０００４】
本発明は、このような状況に鑑みて案出されたものであり、供給水量を容易に調整することができる給水器を備えた園芸用装置及び放熱装置を提供することを目的としている。
【課題を解決するための手段】
【０００５】
本願請求項１に記載の園芸用装置は、花や植物が植えられる花壇部と、前記花壇部に水を供給するための給水部とを備え、前記給水部が、上部容器と、前記上部容器の下側に位置する下部容器とを有し、前記上部容器の底面に設けられた開口に接続された給水管が下部容器内に延びており、前記給水管には、ボールタップ弁が配置されており、前記ボールタップ弁には、フロートが接続されており、前記ボールタップ弁が、前記フロートが所定高さ以上に位置するときは閉鎖し、前記フロートが所定高さ以上に位置しないときは開放するように構成されており、前記フロートの下面のほぼ中央部に設けられた雌ネジ付き凹部に、前記ボールタップ弁に接続された雄ネジ付きシャフトがねじ込まれ、前記雄ネジ付きシャフトを回転させることより、前記フロートの高さを調整することができるように構成されており、前記給水部の前記下部容器と前記花壇部とが流体連通するように構成されていることを特徴とするものである。
【０００６】
本願請求項２に記載の放熱装置は、小石が敷き詰められた放熱部と、前記放熱部に水を供給するための給水部とを備え、前記給水部が、上部容器と、前記上部容器の下側に位置する下部容器とを有し、前記上部容器の底面に設けられた開口に接続された給水管が下部容器内に延びており、前記給水管には、ボールタップ弁が配置されており、前記ボールタップ弁には、フロートが接続されており、前記ボールタップ弁が、前記フロートが所定高さ以上に位置するときは閉鎖し、前記フロートが所定高さ以上に位置しないときは開放するように構成されており、前記フロートの下面のほぼ中央部に設けられた雌ネジ付き凹部に、前記ボールタップ弁に接続された雄ネジ付きシャフトがねじ込まれ、前記雄ネジ付きシャフトを回転させることより、前記フロートの高さを調整することができるように構成されており、前記給水部の前記下部容器と前記放熱部とが流体連通するように構成されていることを特徴とするものである。
【発明の効果】
【０００７】
本発明の園芸用装置は、給水位（給水量）を容易に調整することができる給水部を備えているので、定期的に水撒きを行う手間が省けるうえ、上部容器に水を補給しておきさえすれば、水撒きを失念することもなくなる。また、本発明の放熱装置も、給水位（給水量）を容易に調整することができる給水部を備えているので、打ち水等をする必要もなく、手軽に放熱させることができ、ヒートアイランド現象を回避する一助になる。また、本発明の園芸用装置及び放熱装置は、構造が極めて簡単であるので、廉価に製造することができるとともに、故障等の補修も容易にすることができる。
【発明を実施するための最良の形態】
【０００８】
次に図面を参照して、本発明の好ましい実施の形態に係る園芸用装置及び放熱装置について詳細に説明する。図１は、本発明の第１の実施の形態に係る園芸用装置の全体を概略的に示した断面図である。図１において全体として参照符号１０で示される本発明の第１の実施の形態に係る園芸用装置は、給水器２０と、花や植物が植えられる花壇部４０とを備えている。
【０００９】
図２は、給水部２０の拡大断面図である。給水部２０は、上部容器２２と、上部容器２２の下側に位置する下部容器２４とを有している。上部容器２２の底面に設けられた開口２２ａに給水管２６が接続されており、給水管２６が、下部容器２４内に延びている。下部容器２４の側壁下部には、給水口２４ａが設けられている。給水管２６は、垂直方向下方に延びた後、水平方向に延びており、給水管２６の水平部分に、ボールタップ弁２８が配置されている。
【００１０】
ボールタップ弁２８には、アーム３０の一端が取り付けられており、アーム３０の他端には、チェーン３２を介してフロート３４が接続されている。ボールタップ弁２８は、フロート３４が所定高さ以上に位置するときは閉鎖し、フロート３４が所定高さ以上に位置しないときは開放するように構成されている。なお、ボールタップ弁２８は、通常のものを使用してよい。
【００１１】
図３は、フロート３４の拡大断面図である。フロート３４の下面のほぼ中央部には、凹部３４ａが設けられており、凹部３４ａの壁面には、雌ネジ３４ｂが切られている。一方、凹部３４ａには、雄ネジ付きシャフト３６がねじ込まれており、雄ネジ付きシャフト３６の下端が、チェーン３２に取り付けられている。これにより、雄ネジ付きシャフト３６を回転させれば、フロート３４の高さを容易に調整することができるようになっている。なお、図２において、参照符号３８は、給水管２６を支持するための支柱を表している。
【００１２】
花壇部４０は、複数（図１の例では３基）のプランター４２を有しており、プランター４２は、所望の数を結合できるようになっている。各プランター４２の側壁下部は、通水口４２ａが設けられており、給水口２４ａ及び通水口４２ａを介して、給水部２０の下部容器２２と花壇部４０の各プランター４２が流体連通するように構成されている。
【００１３】
以上のように構成された園芸用装置１０の使用について説明する。まず、花壇部４０に所望の給水位（給水量）が提供されるように、雄ネジ付きシャフト３６を回転させて、フロート３４の高さを調整する。次いで、給水部２０の上部容器２２に水を入れる。すると、給水管２６を介して、下部容器２４内に水が供給される。そして、給水部２０の下部容器２２と花壇部４０の各プランター４２が流体連通しているため、プランター４２の水位は、下部容器２４の水位と同じになる。下部容器２４の水位が設定した水位に到達すると、ボールタップ弁２８が閉鎖して、下部容器２４内への水の供給が遮断される。所定時間が経過してプランター４２（従って、下部容器２４）の水位が低下すると、ボールタップ弁２８が開放して、下部容器２４内に再び水が供給される。このようにして、プランター４２の水位が常に一定に保持される。なお、園芸用装置１０は、水撒きをするのが容易ではない屋上に置くのを想定して開発したものであるが、屋上以外の場所（例えば、庭等）に置いてもよい。
【００１４】
図５は、第２の実施の形態に係る園芸用装置の全体を概略的に示した図である。図５に示される園芸用装置１０は、花壇部４０を構成するプランター４２が１基である点を除いて、図１に示される園芸用装置１０と実質的に同一である。
【００１５】
図６は、第３の実施の形態に係る園芸用装置の全体を概略的に示した図である。図６に示される園芸用装置５０は、バス停留所案内板を兼ねている。すなわち、園芸用装置５０は、案内板５２ａが取り付けられたポール５２を有しており、ポール５２の上端に貯水部５４が設けられ、ポール５２の下端には、土台にもなる給水部２０及び花壇部４０が設けられている。給水部２０及び花壇部４０は、ポール５２の上端の貯水部５４と給水部２０の上部容器２２とが給水管５４ａを介して連通していることを除いて、第１及び第２の実施の形態に係る園芸用装置１０の給水部２０及び花壇部４０と実質的に同じ構成を有している。
【００１６】
図７は、上述の園芸用装置１０、５０を放熱装置に応用した例を示した図である。図７に示される放熱装置６０は、花壇部４０の代わりに放熱部６２が設けられている点を除いて、園芸用装置１０、５０と実質的に同じ構成を有している。すなわち、放熱装置６０は、給水部２０と、放熱部６２とを備えており、放熱部６２は、小石が敷き詰められた容器によって構成されている。給水部２０と、放熱部６２とは、給水口２４ａ及び放熱部６２の側壁下部に設けられた通水口６２ａを介して、流体連通するように構成されている。
【００１７】
上述のような放熱装置６０の構成により、放熱部６２の水位を所望の水位に維持することができる。放熱装置６０は、夏期に屋上、玄関先、庭等に置いて、放熱部６２内の水を蒸発させることにより、設置個所の周辺の温度を低下させることができ、都会でのいわゆるヒートアイランド現象にも効果的に対処することができる。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１９】
【図１】本発明の第１の実施の形態に係る園芸用装置の全体を概略的に示した断面図である。
【図２】図１の園芸用装置の給水部の拡大断面図である。
【図３】フロートの拡大断面図である。
【図４】フロートの昇降による給水量の調整を説明するための図である。
【図５】本発明の第２の実施の形態に係る園芸用装置の全体を概略的に示した図１と同様な図である。
【図６】本発明の第３の実施の形態に係る園芸用装置の全体を概略的に示した図１と同様な図である。
【図７】本発明の好ましい実施の形態に係る放熱装置の全体を概略的に示した断面図である。
【符号の説明】
【００２０】
１０  園芸用装置
２０  給水部
２２  上部容器
２４  下部容器
２６  給水管
２８  ボールタップ弁
３０  アーム
３２  チェーン
３４  フロート
４０  花壇部
４２  プランター
６０  放熱装置
６２  放熱部
【図１】
2005117903.tif 000003
【図２】
2005117903.tif 000004
【図３】
2005117903.tif 000005
【図４】
2005117903.tif 000006
【図５】
2005117903.tif 000007
【図６】
2005117903.tif 000008
【図７】
2005117903.tif 000009